(57)【要約】【課題】テレビジョン受像機の異常検出の種類を識別しやすくするための異常表示方法を提供する。【解決手段】複数の異常検出部を２つに分類し、異なる分類の異常はランプの点滅色を変える手段と、発生頻度が高い異常は発生頻度が低い異常よりもランプの点滅回数を少なくする手段を備えることで、異常検出の種類を識別しやすくなる。【選択図】図３
2009253711.tif 000002
【特許請求の範囲】
【請求項１】
外部に機器内部に生じたエラー内容を出力可能なテレビジョン受像機であって、
前記テレビジョン受像機に生じたエラーを検出する異常検出部と、
前記異常検出部により検出可能なエラーに対して、テレビジョン受像機に応じて外部にエラー内容を出力する方法を記録する記録部と、
前記異常検出部によりエラーを検出した場合に、前記記録部から外部にエラー内容を出力する方法を読み出すマイクロコンピュータと、
前記マイクロコンピュータにより読み出した外部にエラー内容を出力する方法に基づいて、ランプの制御を行うランプ制御部とを備え、
前記記録部には、前記エラー内容の重要度に基づいて前記ランプの発光回数が設定されていることを特徴とするテレビジョン受像機。
【請求項２】
テレビジョン受像機において、複数の異常検出部を２つに分類し、異なる分類の異常はランプの点滅色を変える手段を備えたテレビジョン受像機。
【請求項３】
前記異常検出手段に、発生頻度が高い異常は発生頻度が低い異常よりもランプの点滅回数を少なくする手段をさらに備えた請求項２記載のテレビジョン受像機。
【請求項４】
テレビジョン受像機において、異なる分類の異常はランプの点滅色を変えるステップ
を備えたテレビジョン受像機における異常検出方法。
【請求項５】
前記異常検出ステップに、発生頻度が高い異常はランプの点滅回数を少なくするステップ
をさらに備えた請求項２記載のテレビジョン受像機における異常検出方法。
【発明の詳細な説明】
【技術分野】
【０００１】
本発明は、テレビジョン受像機における異常検出方法に関する。
【背景技術】
【０００２】
従来、テレビジョン受像機の異常検出時は、安全のため電源をオフしランプを点滅させる方法と、異常の種類に応じてランプの点滅回数を変える方法が知られている（例えば、特許文献１参照）。
【特許文献１】特開平１１−２２０６７８号公報
【発明の開示】
【発明が解決しようとする課題】
【０００３】
しかしながら、近年は異常検出の種類が増加し、それに伴いランプの点滅回数も増加しているため、点滅回数を誤って数える可能性があるという課題があった。例えば、異常検出の種類が１０種類の場合、ランプ点滅回数が最大１０回となる。
【０００４】
また、機種によって異常の発生頻度が異なるため、発生頻度が高いにも関わらず点滅回数が多くなることもあり、識別に時間がかかるという課題もあった。
【０００５】
本発明は、かかる状況に鑑みて、異常検出の種類を識別しやすくするための異常表示方法を提供することを目的とする。
【課題を解決するための手段】
【０００６】
上記課題を解決するため、本発明のテレビジョン受信機は、複数の異常検出部を２つに分類し、異なる分類の異常はランプの点滅色を変える手段と、発生頻度が高い異常は発生頻度が低い異常よりもランプの点滅回数を少なくする手段を備えたことを特徴とする。
【０００７】
例えば、異常検出の種類が１０種類の場合、分類ＡとＢに５種類ずつ分け、分類Ａは赤色点滅、分類Ｂは橙色点滅させるようにすると、分類ＡとＢ共にランプ点滅回数を最大５回に減らすことが可能となる。
【０００８】
また、ある異常検出の発生頻度が機種Ｘでは最も低く、機種Ｙでは最も高い場合、機種Ｘでは点滅回数を５回とし、機種Ｙでは点滅回数を１回とすることで、発生頻度が高い異常はさらに識別しやすくすることが可能となる。
【０００９】
なお、本実施の形態において、ランプの点滅色を変える手段としたが、点滅色が変えられない場合は、同じランプ２個を用いて点滅させる手段とすることも可能である。
【発明の効果】
【００１０】
以上のように、本発明のテレビジョン受像機によれば、異常検出の種類を識別しやすくすることが可能となる。
【発明を実施するための最良の形態】
【００１１】
以下本発明を実施するための最良の形態について、図面を参照しながら説明する。
（実施の形態１）
図１は本発明の実施の形態１によるテレビジョン受像機の構成を示すブロック図である。
【００１２】
テレビジョン受信機１０１は、異常検出を行うＮ個の異常検出部１０２、１０３、１０４と、異常検出時に点滅を行うランプ制御部１０６と、前記異常検出部１０２、１０３、１０４と、前記ランプ制御部１０６を制御するマイクロコンピュータ１０５で構成されている。
【００１３】
次に、本実施の形態１によるテレビジョン受像機１０１の異常検出時の動作を図２に示すフローチャートを用いて説明する。
【００１４】
マイクロコンピュータ１０５の制御により、異常の分類を行い、異常の分類がＡの場合（ステップ２０１で「Ａ」）、ランプ赤色指定を行い（ステップ２０２）、異常の分類がＢの場合（ステップ２０１で「Ｂ」）、ランプ橙色指定を行い（ステップ２０３）、ランプ点滅回数を取得し（ステップ２０４）、ランプ点滅を行う（ステップ２０５）。
【００１５】
以上のように、テレビジョン受像機１０１は、異常検出の種類を識別しやすくすることが可能となる。
（実施の形態２）
図３は本発明の実施の形態２によるテレビジョン受像機の構成を示すブロック図である。テレビジョン受像機３０１において、不揮発性メモリ３０７を実施の形態１から追加しそれ以外の構成要素に関しては実施の形態１と同様であり、説明を省略する。
【００１６】
次に、本実施の形態２によるテレビジョン受像機３０１の異常検出時の動作を図４に示すフローチャートを用いて説明する。
【００１７】
マイクロコンピュータ３０５の制御により、機種の種類を不揮発性メモリから取得し、機種Ｘの場合（ステップ４０１で「Ｘ」）、点滅回数５回を指定し（ステップ４０２）、機種Ｙの場合（ステップ４０１で「Ｙ」）、点滅回数１回を指定し（ステップ４０３）、ランプ点滅を行う（ステップ４０４）。
【００１８】
なお、本実施の形態１及び２では、コンピュータプログラムによってそれぞれの手段が制御されることで実現したが、このコンピュータプログラムをＤＶＤ等の記録媒体に記録しておくことにより、移送が可能となり、独立した他のテレビジョン受像機においても容易に実施することが可能である。
（実施の形態３）
実施の形態３においては本発明のテレビジョン受像機について、より詳細に説明する。本発明のテレビジョン受像機５００は、図５に示すように、テレビジョン受像機の各部位における異常を検出する異常検出部１からＮ（５０２から５０６）と、テレビジョン受像機５００に異常が発生した場合にランプ（５１４から５１６）を用いて異常を出力するために必要なデータを格納する不揮発性メモリ５０８と、異常検出部１からＮ（５０２から５０６）と不揮発性メモリ５０８との情報を入力として、ランプ（５１４から５１６）を制御するランプ制御部５１２の制御を行うマイクロコンピュータ５１０とにより構成されている。
【００１９】
なお、異常検出部１からＮ（５１４から５１６）は、テレビジョン受像機５００を構成する変復調部分や複合化部分、画質処理部分、パネル部分のそれぞれに配置する構成としてもよいし、また、異常検出を行う可能性の高い部分にのみ配置する構成とすることも可能である。また、ハードウェア及びソフトウェアのいずれの異常についても対応可能である。
【００２０】
また、ランプ（５１４から５１６）は、新たにＬＥＤ等を用いて構成することも可能であるが、別の構成としては、ランプ（５１４から５１６）を設けることなく、従来より、テレビジョン受像機５００に設けられている電源ランプやデータ取得中等を表示する部分を利用することも可能である。これにより、新たな構成を設けることなく、本発明を実現することが可能になる。
【００２１】
ここで、不揮発性メモリ５０８の構成についてより詳細に説明する。図６に示すように、不揮発性メモリ５０８は、機種（図６の例では、ＰＺ−１２３、ＰＺ−４５６、ＰＺ７８９）と上述した異常検出部１からＮ（５１４から５１６）について、その場合のランプ（５１４から５１６）の点灯方法を記録している。
【００２２】
例えば、ＰＺ−１２３において異常１を異常検出部において検出した場合には、「Ａ；１」と記録されており、これは例えばランプ５１４をＡ、ランプ５１６をＢとした場合には、ランプ５１４を一回点灯する。また、例えば、ＰＺ−１２３において異常３を異常検出部において検出した場合には「Ａ；１  Ｂ；１」と記録されており、これはランプ５１４を一回点灯し、同時に、または所定時間間隔でランプ５１６も一回点灯することを示している。また、例えば、ＰＺ−４５６において異常１については空欄となっており、ＰＺ−４５６においては、異常１が発生しないことを示している。
【００２３】
以上のような構成からなるテレビジョン受像機について、具体的な動作を説明する。まず、最初に、異常検出部１からＮ（５１４から５１６）のいずれかより異常を検出する。次に、マイクロコンピュータ５１０に異常検出部１からＮ（５１４から５１６）からの信号を通知し、これに対して、マイクロコンピュータ５１０は、この異常に対応するデータを不揮発性メモリ５０８から読み出す。ここで、マイクロコンピュータ５１０が対応するデータを不揮発性メモリ５０８から読み出す際には、機種情報が必要になるが、これは予めマイクロコンピュータ５１０がテレビジョン受像機の有するメモリ（図示せず）から読み出すことにより、実現可能である。
【００２４】
例えば、ＰＺ−１２３において異常検出部１から異常１を検出した場合には、マイクロコンピュータ５１０は「Ａ；１」のデータを読み出し、ランプ制御部５１２は、ランプ５１４のランプを１回発光する信号を生成し、ランプ５１４に転送する。これに対して、ランプ５１４は１回発光する。
【００２５】
ここで、この不揮発性メモリ５０８の発光回数の設定について説明する。図６にしめすように、ランプ５１４を１回発光する場合は、機種ＰＺ−１２３では異常１が発生した場合、機種ＰＺ−４５６では異常２が発生した場合、機種ＰＺ−７８９では異常３が発生した場合に設定されている。これは、各機種ごとの異常の発生する頻度を勘案して、その頻度に応じて発光方法が設定されているものである。つまり、機種ＰＺ−１２３では、異常２よりも異常１の発生する確率が高いため、発光回数の少ない状態に設定がなされている。さらに、同じ異常１であっても、ＰＺ−１２３とＰＺ−７８９を比較すると、その発生頻度が機種によっても変わるため、その発光回数が異なるように設定がなされている。これにより、本発明においては、異常の発生する確率が高い（つまり、優先順位の高い）異常に対して、より人間が認識しやすい発光回数を設定することが可能になるものである。
【００２６】
なお、図６に示した機種と異常の内容を勘案した発光回数の設定方法は一例であり、この発光回数以外に設定することも可能である。
【００２７】
なお、特許請求の範囲においては、異常と同義語としてエラーという用語を使用している。
【産業上の利用可能性】
【００２８】
本発明のテレビジョン受像機は、複数の異常検出部が備わった全てのＡＶ機器で有用である。
【図面の簡単な説明】
【００２９】
【図１】本発明の一実施の形態におけるテレビジョン受像機を示すブロック図
【図２】本発明の一実施の形態におけるテレビジョン受像機の処理手順を示すフローチャート
【図３】本発明の他の実施の形態におけるテレビジョン受像機を示すブロック図
【図４】本発明の他の実施の形態におけるテレビジョン受像機の処理手順を示すフローチャート
【図５】本発明の他の実施の形態におけるテレビジョン受像機を示すブロック図
【図６】本発明の他の実施の形態における不揮発性メモリを示すブロック図
【符号の説明】
【００３０】
１０１    テレビジョン受像機
１０２    異常検出部１
１０３    異常検出部２
１０４    異常検出部Ｎ
１０５    マイクロコンピュータ
１０６    ランプ制御部
３０１    テレビジョン受像機
３０２    異常検出部１
３０３    異常検出部２
３０４    異常検出部Ｎ
３０５    マイクロコンピュータ
３０６    ランプ制御部
３０７    不揮発性メモリ
５００    テレビジョン受像機
５０２    異常検出部１
５０４    異常検出部２
５０６    異常検出部Ｎ
５０８    不揮発性メモリ
５１０    マイクロコンピュータ
５１２    ランプ制御部
５１４    ランプ１
５１６    ランプ２
【図１】
2009253711.tif 000003
【図２】
2009253711.tif 000004
【図３】
2009253711.tif 000005
【図４】
2009253711.tif 000006
【図５】
2009253711.tif 000007
【図６】
2009253711.tif 000008